(57)【要約】【課題】スプリンクラーヘッドにおけるカバープレートやシーリングプレート等の取付け作業時の作業者の負担を軽減できるスプリンクラーヘッド付属品装着工具を提供する。【解決手段】  天井または壁面におけるスプリンクラーヘッドＳの設置位置に穿設された穴を塞ぐスプリンクラーヘッド付属品をスプリンクラーヘッドへ取付けるための装着工具であり、スプリンクラーヘッド付属品４を支持する本体２、本体２上にスプリンクラーヘッド付属品４を保持する保持体３を備えた。【選択図】図１
0003185691.tif 000002
【実用新案登録請求の範囲】
【請求項１】
天井または壁面におけるスプリンクラーヘッドの設置位置に設けた穴を塞ぐスプリンクラーヘッド付属品をスプリンクラーヘッドに対して取付けまたは取外す装着工具であって、
スプリンクラーヘッド付属品を支持可能な支持面を有する本体と、
本体の上面側に配置されており、スプリンクラーヘッド付属品の外縁部を係止し本体上に保持する保持体とを備え、
保持体は自らの弾性によりスプリンクラーヘッド付属品との保持状態を解除可能であるスプリンクラーヘッド付属品用の装着工具。
【請求項２】
前記装着工具は、スプリンクラーヘッド付属品を保持した状態で本体と供回り可能に係止する係止部を有する請求項１記載の装着工具。
【請求項３】
前記装着工具は、本体と保持体の間に形成された空間にスプリンクラーヘッド付属品を差し込むことが可能である請求項１または請求項２記載の装着工具。
【請求項４】
保持体が弾力と柔軟性を備える部材によって構成される請求項１記載の装着工具。
【請求項５】
保持体をリング状またはリングを切欠いた形状とし、保持体内部にスプリンクラーヘッド付属品を装着させる請求項４記載の装着工具。
【請求項６】
保持体は内部に収容されるスプリンクラーヘッド付属品を本体の支持面から離した状態で保持することが可能である請求項４または請求項５記載の装着工具。
【請求項７】
保持体の内周部にスプリンクラーヘッド付属品が載置可能な段部を形成した請求項６記載の装着工具。
【請求項８】
保持体の内周部にはスプリンクラーヘッド付属品の外縁部を側面から保持する突出部を備える請求項１〜請求項７何れか１項記載の装着工具。
【請求項９】
保持体は本体から取り外し交換可能に設置されている請求項１〜請求項８何れか１項記載の装着工具。
【考案の詳細な説明】
【技術分野】
【０００１】
本考案はスプリンクラーヘッドの付属品、例えばスプリンクラーヘッドカバーやシーリングプレートをスプリンクラーヘッドに取付けるための装着工具に関する。
【背景技術】
【０００２】
スプリンクラーヘッドは、建物内の天井面や壁面に設置され、一端には給水源に続いた配管と接続可能なノズルを有し、他端には感熱作動部が設けられている。平時において感熱作動部はノズルを閉止する弁体を支持している。
【０００３】
上記スプリンクラーヘッドの一例として、天井面や壁面に埋め込まれた状態で設置され、スプリンクラーヘッドをスプリンクラーヘッドカバーで覆い隠したコンシールド型スプリンクラーヘッドがある。
【０００４】
コンシールド型スプリンクラーヘッドは、スプリンクラーヘッドと、該スプリンクラーヘッドに装着するスプリンクラーヘッドカバーとを備える。そのスプリンクラーヘッドは天井裏に設置されており、平時において該スプリンクラーヘッドはスプリンクラーヘッドカバーによって覆い隠され、室内からはカバープレートしか見えない構造になっている。
【０００５】
コンシールド型スプリンクラーヘッドは、スプリンクラーヘッドが天井から室内側に突出しない点で意匠性に優れており、例えば特許文献１に記載されたものが知られている。図７に示す特許文献１のコンシールド型スプリンクラーヘッド５０は、外周部に牡ネジ５３が形成されているスプリンクラーヘッドＳと、該牡ネジ５３と螺合可能な突起５４が筒状部５５Ａの内側に形成されているハウジング５５を有するスプリンクラーヘッドカバー５１とを備える。ハウジング５５の下方には皿状のカバープレート５２が設置されており、ハウジング５５とカバープレート５２とはハウジング５５の下端に設けられた接続部材５６を介して接合されている。
【０００６】
接続部材５６とカバープレート５２は低融点合金５７により接合されており、火災時には火災の熱によって低融点合金５７が溶融してカバープレート５２と接続部材５６との接合が解除され、カバープレート５２が落下する。カバープレート５２が落下すると天井裏に設置されたスプリンクラーヘッドＳが天井ボード５８の穴５９を介して室内に露出する。これにより火災の熱気流が直接スプリンクラーヘッドＳに曝され、スプリンクラーヘッドＳが作動して水を散布して消火を行う。
【０００７】
上記のスプリンクラーヘッドカバー５１は次のような手順でスプリンクラーヘッドＳに取付けられる。
【０００８】
天井裏の配管ＡにはスプリンクラーヘッドＳが接続されている。スプリンクラーヘッドＳには外的衝撃から保護するために図示しない保護キャップが装着されている。次に天井ボード５８が施工される。スプリンクラーヘッドＳが設置される箇所にはスプリンクラーヘッドＳよりやや大径の穴５９が穿設されており、スプリンクラーヘッドＳはその穴５９を介して室内に露出した状態となる。
【０００９】
続いて、スプリンクラーヘッドＳにスプリンクラーヘッドカバー５１を取付けるが、その前に保護キャップを取外す。保護キャップを取外した後、スプリンクラーヘッドカバー５１のハウジング５５の筒状部５５ＡをスプリンクラーヘッドＳの下端側から天井ボード５８の方向に向かって挿入して回転させ、スプリンクラーヘッドＳの外周の牡ネジ５３へハウジング５５内の突起５４をねじ込ませる。
【００１０】
ハウジング５５のフランジ部６０が天井ボード５８の下面に接触するまでスプリンクラーヘッドカバー５１をねじ込めば取付けが完了する。
【先行技術文献】
【特許文献】
【００１１】
【特許文献１】国際公開第２００５／９７２６５号
【考案の概要】
【考案が解決しようとする課題】
【００１２】
以上のようなスプリンクラーヘッドカバー５１の取付け作業（保護カバーの取外し作業を含む。）は、一般的には作業者が脚立に登り天井に向かって作業を行うのが通常である。しかしながらこうした高所での上向きの作業は落下の危険性もあるため細心の注意が必要であり作業者の疲労が大きい。特に腕を上げた状態でスプリンクラーヘッドカバー５１をスプリンクラーヘッドＳの中心に芯を合わせてねじ込ませる手元の精度も要求されることから、作業者に大きな疲労を与える大きな原因となっている。
【００１３】
しかも大規模な建物になるとスプリンクラーヘッドの設置個数が数百個から数千個に及ぶケースもあり、前述の疲労の大きい取付け作業を数百個から数千個も行わなければならず作業者の負担が甚大であった。
【００１４】
さらにスプリンクラーヘッドカバー５１の取付け作業時に、軍手に付着していた埃や煤がスプリンクラーヘッドカバー５１のカバープレート５２に付着すると、その汚れによって室内の美観を損ねてしまうおそれがある。ゆえにスプリンクラーヘッドカバー５１の取付け作業においてもカバープレート５２に汚れが付着しないように細心の注意を払って作業を行わなければならない。
【００１５】
以上のような従来技術を背景になされたのが本考案である。その目的はスプリンクラーヘッドカバーやシーリングプレート等の付属品をスプリンクラーヘッドに対して装着する際の作業者の負担を軽減するための工具を提供することにある。
【課題を解決するための手段】
【００１６】
上記目的を達成すべく本考案が提案する工具は、以下のようなスプリンクラーヘッド付属品装着工具である。
【００１７】
すなわち、天井または壁面におけるスプリンクラーヘッドの設置位置に設けた穴を塞ぐスプリンクラーヘッド付属品をスプリンクラーヘッドに対して取付ける工具であって、
スプリンクラーヘッド付属品を支持可能な支持面を有する本体と、本体の上面側に配置されており、スプリンクラーヘッド付属品の外縁部を係止し本体上に保持する保持体とを備え、保持体は自らの弾性によりスプリンクラーヘッド付属品との保持状態を解除可能であるスプリンクラーヘッド付属品用の装着工具である。
【００１８】
本考案によるスプリンクラーヘッド付属品用の装着工具（以下「装着工具」というときは特に断らない限り「スプリンクラーヘッド付属品用の装着工具」を意味する。）によれば、作業者はスプリンクラーヘッド付属品（以下「付属品」というときは特に断らない限り「スプリンクラーヘッド付属品」を意味する。）を本体にセットした本考案の装着工具を使って付属品をスプリンクラーに取付けることができる。したがって作業者の負担を軽減することができる。
その際、この装着工具にはスプリンクラーヘッド付属品を支持可能な支持面を有する本体と、本体の上面側に配置されており、スプリンクラーヘッド付属品の外縁部を係止し本体上に保持する保持体とを備えるため、付属品を本体にセットした状態で装着工具を天井に向かって移動させた際に、本体から付属品が外れてしまうことを防止できる。
上記の装着工具を使えば付属品に触れることなくスプリンクラーヘッドに取付けることができるので、取付け作業時に軍手に付着した汚れが付属品に付くことを防止できる。
【００１９】
以上のような本考案の装着工具の有用性は、特にスプリンクラーヘッドカバーやシーリングプレート等のスプリンクラーヘッド付属品をスプリンクラーヘッドに取付ける際に発揮することができる。
【００２０】
なお、前述した装着工具の本体の支持面は付属品を直接載置して支持するものに限られず、直接載置しないものでも良い。たとえば後者の場合には保持体によって付属品を保持するものとし、支持面から離間して付属品を設置してもよい。
【００２１】
前記装着工具は、スプリンクラーヘッド付属品を保持した状態で本体と供回り可能に係止する係止部を有する。
係止部により、スプリンクラーヘッド付属品とスプリンクラーヘッドがネジ構造により装着される場合には本体を回転させることでスプリンクラーヘッド付属品をスプリンクラーヘッドに螺入させることができる。
【００２２】
前記装着工具は、本体と保持体の間に形成された空間にスプリンクラーヘッド付属品を差し込むことが可能である。
スプリンクラーヘッド付属品は本体と保持体の間に配置されるので装着工具を逆さまにしたり、スプリンクラーヘッド付属品を装着工具に係止した状態で装着工具を振った場合でもスプリンクラーヘッド付属品が装着工具から外れることを防止できる。
【考案の効果】
【００２３】
本考案のスプリンクラーヘッド付属品用の装着工具によれば、スプリンクラーヘッド付属品をスプリンクラーヘッドに取付ける際の作業者の負担を大きく軽減することができる。また取付けの作業時に、スプリンクラーヘッド付属品に汚れや傷が付くことを防止することができる。
【図面の簡単な説明】
【００２４】
【図１】第１実施形態によるスプリンクラーヘッド付属品用の装着工具にスプリンクラーヘッドカバーを取付けた状態を示す説明図。
【図２】図１の装着工具の平面図。
【図３】図２のＸ−Ｘ断面図：（ａ）スプリンクラーヘッドカバーをセットした時、（ｂ）スプリンクラーヘッドカバーが外れる時、（ｃ）スプリンクラーヘッドカバーを外した後。
【図４】第２実施形態の装着工具の平面図。
【図５】図４のＹ−Ｙ断面図（スプリンクラーヘッドカバーをセットした時）。
【図６】図５の変形例。
【図７】一従来例によるスプリンクラーヘッドカバーが設置されたスプリンクラーヘッドの断面図。
【考案を実施するための形態】
【００２５】
第１実施形態（図１〜図３）
以下、この考案の第１実施形態を図１から図３を参照して説明する。
【００２６】
第１実施形態のスプリンクラーヘッド付属品用の装着工具（以下、「装着工具」という。）１は、本体２と保持体３を備えている。本体２には「スプリンクラーヘッド付属品」としてのスプリンクラーヘッドカバー４を支持する皿状部５が形成されている。皿状部５にはスプリンクラーヘッドカバー４が載置される。
【００２７】
皿状部５の一部は切欠かれており皿状部の側面に「保持位置視認部」としての直線部５Ａが形成されている。皿状部５のスプリンクラーヘッドカバー４が載置される面５Ｂにはゴム板５Ｃが貼付されている。ゴム板５Ｃはスプリンクラーヘッドカバー４のカバープレート４Ａが面５Ｂ上で動くのを防止するとともに、本体２を回転させた際にスプリンクラーヘッドカバー４も供回りするように滑り止めの作用を有する。
【００２８】
ゴム板５Ｃは、スプリンクラーヘッドカバー４が磁石に吸着可能な材質で構成されている場合には磁石に置き換えることも可能である。
【００２９】
面５Ｂ側にはリングを切り欠いた環状のスペーサー５Ｄが載置され、さらにスペーサー５Ｄの上に「保持体」としてのカバー８が設置される。スペーサー５Ｄにより面５Ｂとカバー８の間には隙間１０が形成される。隙間１０にはスプリンクラーヘッドカバー４のカバープレート４Ａが挿入され、スペーサー５Ｄの内周側には隙間１０から差し込ませたカバープレート４Ａが収容される。
【００３０】
カバー８はスペーサー５Ｄと同様にリングを切り欠いた板状の環状部材にて形成されている。カバー８は弾性を有する金属や樹脂から構成される。図２、３に示すようにカバー８はスペーサー５Ｄを介して皿状部５のスプリンクラーヘッドカバー４が載置される「支持面」としての面５Ｂに対してネジ９により固定設置される。
【００３１】
カバー８の内側の縁には、スプリンクラーヘッドカバー４のカバープレート４Ａの外縁部を側面から保持する垂下部８Ａと、カバープレート４Ａの外縁部を上側から係止するバネ部８Ｂが形成されている。
【００３２】
図２および図３（ａ）〜（ｃ）に示すようにバネ部８Ｂの先端は上方に向かって屈曲した湾曲部８Ｃが形成されており、湾曲部８Ｃは図２にて二点鎖線で示したカバープレート４Ａの外縁部の近傍に配置されている（図３（ａ）参照）。またバネ部８Ｂの周辺にはスリット８Ｄが形成されており、バネ部８Ｂが弾性変形しやすいように構成されている。上記の垂下部８Ａとバネ部８Ｂはカバー８上に複数個所設置されている。
【００３３】
垂下部８Ａはカバープレート４Ａの外縁部を側面から保持することで装着工具１にセットされたカバープレート４Ａが本体５上で動くのを防ぐ作用を有する。本体５上にカバープレート４Ａをセットした状態で作業者が移動のため着脱工具１を持ち歩いた際に、カバープレート４Ａが本体５上で動いてカバープレート４Ａの化粧面に傷が付かないように構成したものである。
【００３４】
バネ部８Ｂはカバープレート４Ａの外縁部を上側から係止することで装着工具１にカバープレート４Ａをセットした状態で装着工具１を逆さまにした際にスプリンクラーヘッド４Ａの脱落を防止できる。
【００３５】
皿状部５のスプリンクラーヘッドカバー４が載置される側から反対方向に伸長して形成された筒部６には、作業者が手で握って着脱工具１の操作を可能な把持部７が接続される。把持部７は柱状ないし棒状をしており筒部６に固定設置される。
【００３６】
第１実施形態の着脱工具１を用いてスプリンクラーヘッドＳに設置されるスプリンクラーヘッドカバー４は、スプリンクラーヘッドＳを覆い隠す金属製の円盤形状をしたカバープレート４Ａと、円筒形状をしておりスプリンクラーヘッドＳの外周部に着脱可能な構造を有する金属製のハウジング４Ｂから構成される。
【００３７】
ハウジング４Ｂの一端には鍔部４Ｄが形成され、該鍔部４Ｄにはその一部をカバープレート４Ａ側に屈曲させて脚４Ｃが形成されている。脚４Ｃの先端は鍔部４Ｄと平行に屈曲されており、そこにはカバープレート４Ａとの接合部位となる接合部（図示しない）が形成されている。接合部はカバープレート４Ａと低融点合金によって接合されている。該低融点合金の溶融温度はスプリンクラーヘッドＳの作動温度よりも低く、火災時には火災の熱によりカバープレート４Ａを接合している低融点合金がスプリンクラーヘッドＳの作動より早く溶融してカバープレート４Ａが先に落下し、続いてスプリンクラーヘッドＳが作動するようになっている。
【００３８】
スプリンクラーヘッドＳの外周面には螺旋溝Ｓ１が刻設されており、該牡ネジＳ１に螺合可能な複数の突起４Ｆがハウジング４Ｂの内周面に突出して形成されている。該突起４Ｆはハウジング４Ｂの筒部を曲げ起こして形成されており、突起４Ｆの先端はカバープレート４Ａ側に向いている。ハウジング４Ｂは弾性を有する金属材料にて形成されており突起４Ｆも弾性を有している。スプリンクラーヘッドカバー４をスプリンクラーヘッドＳに取付ける際には、ハウジング４Ｂの筒内にスプリンクラーヘッドＳを下方から挿入すると突起４Ｆが外周方向へ弾性変形しながら螺旋溝Ｓ１の上を交差して通過することができるので、ハウジング４Ｂの鍔部４Ｄが天井ボードＣの下面付近に達するまでスプリンクラーヘッドカバー４を押し込んでいくようにする。その後、スプリンクラーヘッドカバー４を螺旋溝Ｓ１に沿って回転させて鍔部４Ｄを天井ボードＣの下面に当たるまでねじ込む（回転させる）ようにすることでスプリンクラーヘッドＳに対して取付けることができる。
【００３９】
上記にはスプリンクラーヘッドカバー４をスプリンクラーヘッドＳに挿通させて押し込むことで取付ける例を説明したが、スプリンクラーヘッドＳの螺旋溝Ｓ１に沿ってスプリンクラーヘッドカバー４の突起４Ｆをねじ込んでも取付けが可能である。また、取外す場合には突起４Ｆが螺旋溝Ｓ１に引っかかるので下向きに引っ張るだけでは外すことができず、スプリンクラーヘッドカバー４を回転させながら突起４Ｆを螺旋溝Ｓ１に沿って移動させて取外す必要がある。
【００４０】
続いて、着脱工具１にスプリンクラーヘッドカバー４をセットしてスプリンクラーヘッドＳへ取付ける手順について説明する。
【００４１】
先ずスプリンクラーヘッドＳに装着されている保護キャップＨを取外す。次に本体１の皿状部５とカバー８の隙間１０にスプリンクラーヘッドカバー４のカバープレート４Ａをスライドさせながら差し込ませる。より具体的には、カバープレート４を皿状部５の直線部５Ａ側から皿状部５とカバー８の隙間１０に差し込ませ、カバープレート４Ａが皿状部５の直線部５Ａの外にはみ出さないように、スプリンクラーヘッドカバー４を取付けるようにする。
【００４２】
以上のように取付けるとスプリンクラーヘッドカバー４が皿状部５の略中央位置に適切に位置決めされる。具体的には、スプリンクラーヘッドカバー４と本体２（皿状部５）と把持部７の中心が略一致するような状態でスプリンクラーヘッドカバー４が保持されることになる。したがって、後述の取付け作業の際には、スプリンクラーヘッドカバー４が本体２に隠れて下から目視できなくても、手元の把持部７の延長線上の位置感覚で上方のスプリンクラーヘッドカバー４をスプリンクラーＳに合わせることができる。
【００４３】
次に把持部７を手で持ち、その延長線上の位置感覚を頼りにしてスプリンクラーヘッドカバー４を天井内に設置されたスプリンクラーヘッドＳに被せるようにする。スプリンクラーヘッドカバー４を天井方向に押し込むと、スプリンクラーヘッドカバー４内の突起４ＦはスプリンクラーヘッドＳの外周部に刻設された螺旋溝Ｓ１上を通過可能であることから、スプリンクラーヘッドカバー４の鍔部４Ｄが天井ボードＣの下面付近に達するまで押し込んでいく。
【００４４】
鍔部４Ｄを天井ボードＣの下面付近まで押し込んだら本体２を回転させる。その際、皿状部５のゴム板５Ｃがカバープレート４Ａの滑り止めとして作用してスプリンクラーヘッドカバー４が面５Ｂ上で空回りすることを防いでいるのでスプリンクラーヘッドカバー４は本体２と共に回転する。従って本体２を回転させることで、スプリンクラーヘッドカバー４の突起４ＦがスプリンクラーヘッドＳの螺旋溝Ｓ１に沿って回転する。
【００４５】
スプリンクラーヘッドカバー４の鍔部４Ｄが天井ボードＣの下面に接するまで回転させたら装着工具１をスプリンクラーヘッドカバー４から取外す。装着工具１を下方へ引くとカバープレート４Ａの外縁部と係合していたバネ部８Ｂが自らの弾性により変形して係合が解除され、装着工具１からスプリンクラーヘッドカバー４を外すことができる（図３（ｂ）、（ｃ）参照）。これでスプリンクラーヘッドカバー４をスプリンクラーヘッドＳへ取り付ける作業が完了する。
【００４６】
第２実施形態（図４〜図６）
次に第２実施形態について図４から図６を参照して説明する。
【００４７】
第２実施形態において第１実施形態と構成が同じ箇所については同符号を付して詳細な説明は省略する。第２実施形態の装着工具１は、第１実施形態のカバー８に相当する部材をスポンジやウレタン等の弾力と柔軟性を備える素材によって構成したものである。
【００４８】
図４および図５に示す第２実施形態の装着工具２１は、「保持体」としてスポンジ製のカバー２２が設置されている。カバー２２はリングを切り欠いた形状をしており、ネジ９により皿状部５のスプリンクラーヘッドカバー４が載置される「支持面」としての面５Ｂに固定設置される。
【００４９】
図５に示すようにカバー２２の内側の縁には、スプリンクラーヘッドカバー４のカバープレート４Ａの外縁部を側面から保持する突出部２２Ａが形成されている。突出部２２Ａの先端はカバープレート４Ａの外周縁と干渉する程度に延出されている（図４にカバープレート４Ａの外縁を二点鎖線で示す）。突出部２２Ａの先端は凸凹に形成されており、突出部２２Ａの先端が弾性変形しやすいようにしている。突出部２２Ａの先端形状は上記のような凸凹に限定されるものではなく、複数の縦溝や横溝により層状に凸凹を形成してもよい。図４、５では突出部２２Ａの先端形状についてカバー２２の上面側から面５Ｂ側に伸びる溝を層状に形成した例を示す。突出部２２Ａはカバー２２の内側の縁に複数個所設置されている。
【００５０】
カバー２２の内周にスプリンクラーヘッドカバー４を装着する際には、第１実施形態のように皿上部５の直線部５Ａ側から差し込むことができるが、第２実施形態ではカバー２２の上面側からカバープレート４Ａをカバー２２に差し込むことが可能である。
【００５１】
カバー２２は弾力と柔軟性を備える素材により形成されているのでカバープレート４Ａの外縁はカバー２２の弾力により常に保持された状態にある。従って作業者が装着工具２１にスプリンクラーヘッドカバー４をセットした状態で装着工具２１を持ち歩いてもスプリンクラーヘッドカバー４が外れることを防止できる。
【００５２】
また、カバー２２は柔軟性も備えているため、突出部２２Ａはカバープレート４Ａの外縁形状に沿って容易に変形することができる。スプリンクラーヘッドカバー４を装着工具２１から外す際にもカバー２２の弾力と柔軟性により、それ程力を加えることなく外すことができる。
【００５３】
上記より、スプリンクラーヘッドカバー４をカバー２２の上面側から着脱することが可能であるので、カバー２２および皿状部５の形状をリング状にすることも可能である。
【００５４】
また第２実施形態の装着工具２１には、第１実施形態と同様に皿状部５のスプリンクラーヘッドカバー４が載置される面５Ｂにゴム板５Ｃを貼付することができる。
【００５５】
さらにカバープレート４Ａの化粧面を皿状部５の面５Ｂに接触させたくない場合には、カバー２２の厚さ（面５Ｂとの接触面から上面までの寸法）を増すことでカバープレート４Ａを面５Ｂから離した状態でスプリンクラーヘッドカバー４を係止することもできる（図６（ａ）参照）。あるいは、カバー２２の内側にカバープレート４Ａが載置可能な段部２２Ｂを形成してカバープレート４Ａの化粧面を皿状部５の面５Ｂから離してセットすることも可能である（図６（ｂ）参照）。
【００５６】
上記の第１実施形態および第２実施形態で説明した装着工具のカバー８（２２）はビス９により皿状部５上に固定されている。カバー８（２２）が破損したり、汚れてしまった場合にはビス９を外してカバー８（２２）を新しく交換することが可能である。
【００５７】
また上記の実施形態においては、スプリンクラーヘッド付属品としてスプリンクラーヘッドカバーを用いて説明したが、これ以外にも実開平６−７７７５８号公報や実開平６−４１７５１号公報、特開２００８−１５４９３８号公報に記載されているシーリングプレートの装着工具として用いることも可能である。
【符号の説明】
【００５８】
１、２１  スプリンクラーヘッド付属品の装着工具  
２  本体  
３  保持体  
４  スプリンクラーヘッドカバー（スプリンクラーヘッド付属品）  
４Ａ  カバープレート  
４Ｂ  ハウジング  
４Ｃ  脚  
５  皿状部  
５Ａ  直線部  
５Ｂ  面（支持面）  
５Ｃ  ゴム板  
５Ｄ  スペーサー  
６  筒部  
７  把持部  
８、２２  カバー（保持体）  
８Ａ  垂下部  
８Ｂ  バネ部  
８Ｃ  湾曲部  
８Ｄ  スリット  
９  ネジ  
１０  隙間  
Ｓ  スプリンクラーヘッド  
【図１】
0003185691.tif 000003
【図２】
0003185691.tif 000004
【図３】
0003185691.tif 000005
【図４】
0003185691.tif 000006
【図５】
0003185691.tif 000007
【図６】
0003185691.tif 000008
【図７】
0003185691.tif 000009